(57)【特許請求の範囲】
【請求項１】
ブラジャー等のバストカップ付き被服のバストカップ部保形のために、前記バストカップの身体前中心部から、バスト下部に位置する中央底部を介してバスト脇下に位置する脇側立部まで、アンダーバストの周縁に沿うように形成されている前記バストカップ部の下方周縁部内に組み入れられる、バストカップ保形用ワイヤーであって、
前記バストカップ保形用ワイヤーは、扁平状線材が、前記バストカップ部の下方周縁部に対応する身体前中心部末端から、中央底部を介して、脇側立部末端まで連続する略Ｕ字状乃至略半円形状を形成していて、且つ
脇側立部の端部及び前記中央底部は、前記身体前中心部と当接している平面（身体前中心部含有面）に対して、身体当接側を内方として、外方に凸設するように彎曲していて、
前記脇側立部末端の前記身体前中心部含有面からの突出高さ（ｋ）は、前記身体前中心部含有面からの前記中央底部の凸部高さ（ｈ）よりも大きく、
前記扁平状線材の前記脇側立部の端部は、前記扁平状線材の身体当接面が前記身体前中心部の方を向くように捻じれているバストカップ保形用ワイヤー。
【請求項２】
前記中央底部の凸部高さ（ｈ）は１．５〜３．５ｍｍであり、前記脇側立部末端の突出高さ（ｋ）は２．０〜６．０ｍｍである請求項１に記載のバストカップ保形用ワイヤー。
【請求項３】
前記扁平状線材の前記脇側立部端部の捻じれ角度αは、前記身体前中心部含有面と前記扁平状線材の幅方向断面とからなる角度で、２５°〜８０°である請求項１又は２に記載のバストカップ保形用ワイヤー。
【請求項４】
前記扁平状線材は、前記中央底部の凸部頂点から前記脇側立部末端に至るまでの部分において、前記身体前中心部含有面との接触部分を有するように彎曲している請求項１〜３のいずれかに記載のバストカップ保形用ワイヤー。
【請求項５】
前記扁平状線材の前記中央底部の凸部頂点から前記脇側立部末端までの垂直方向長さ（Ｌ）は、前記扁平状線材の前記凸部頂点から前記身体前中心部末端までの垂直方向長さ（Ｍ）より長い請求項１〜４のいずれか１項に記載のバストカップ保形用ワイヤー。
【請求項６】
前記扁平状線材の前記身体前中心部末端及び前記脇側立部末端は、合成樹脂製材で被覆されている請求項１〜５のいずれか１項に記載のバストカップ保形用ワイヤー。
【発明の詳細な説明】
【技術分野】
【０００１】
本発明は、ブラジャー若しくはボディスーツ、ブラスリップ等のバストカップ付きファンデーション、又はワンピース型やセパレート型の水着などのバストカップ付き被服のカップ部に装着されるバストカップ保形用ワイヤーに関する。
【背景技術】
【０００２】
ブラジャーやボディスーツ、ブラスリップ等のバストカップ付きファンデーション又はワンピース型やセパレート型の水着などのバストカップ付き被服のカップ部には、着用時のバストのシルエットを整え、保形するために、例えば、図１に示すように、バストカップ部２０の下方周縁部に沿って、金属製若しくは合成樹脂製よりなる略Ｕ字状に整形した保形用ワイヤー２１が装入されている。
【０００３】
このようなバストカップ部付き被服に装入されるカップ保形用ワイヤーとしては、例えば、特公平４−４７０４２号公報（特許文献１）の従来の技術の欄で説明されているように、断面長方形の扁平状線材、断面円形の丸線材、断面Ｈ形等の異形断面を有する線材を、カップ部の下方周縁にそって、Ｕ字乃至半円状に整形したフラットな保形用ワイヤーが用いられていた。
しかしながら、特許文献１に記載されているように、このようなフラットな保形用ワイヤーは、着用時、体表面に沿うように脇側へ広げられると、保形用ワイヤーの身体前中心側上縁が肌側へよじれて食い込み、脇部分では、線的に体表面に当接することになり、先端部がバストに食い込む状態となる。このため、着け心地がよくないばかりか、バストカップ部としての本来の役目であるカップ形状の保形においても十分な機能が果たせていないという問題があった。
【０００４】
このような問題を解決するために、例えば、実公昭５９−５６８３号公報（特許文献２）では、略半円状のワイヤーボーンにおいて、図２に示すように、身体に接する側を内方として上面からみた前記半円状部のほぼ中央部Ａは基準面３０に対し、身体の膨らみに合うように外方に彎曲し、該中央部Ａから両端部２４，２５に至る途中部分は基準面３０に一致する平面となし、該平面部から両端部寄りの部分Ｂ、Ｃは再び基準面３０から外方に彎曲させてなるワイヤーボーン本体の全表面を合成樹脂材で被覆したワイヤーボーンが提案されている。特許文献２のワイヤーボーン（保形用ワイヤ）では、ワイヤーボーン本体を、身体の膨らみに合うように、中央部Ａを身体面の外方に彎曲させて立体形状に整形しているので、ワイヤーボーンには、角断面のものでも、丸断面のものでも用いることができると説明されている。さらに、合成樹脂材の被覆により、ワイヤーボーン本体が汗等で錆びることを防止するとともに、ワイヤーボーン端部が生地を介して直接肌に触れることを防止して、着用感を一層改善できるとしている。
【０００５】
また、実開平６−３９９０９号公報（特許文献３）では、保形用ワイヤーを形状記憶合金製線材を用いて、図２に示すような立体形状に整形するとともに、保形用ワイヤーの中央部の膨らみの頂点２６、前側端部末端２４、脇側端部の末端２５について、それぞれ基準面３０からの高さｈ，ｊ，ｋを所定範囲とすることを提案している。具体的には、図２において、中央部の膨らみの頂点２６、前部端部末端２４、脇部端部末端２５における基準面３０からのそれぞれの高さｈ，ｊ，ｋについて、数値範囲を限定することで、満足度を高めるともに、ワイヤーボーン本体を形状記憶合金で構成することにより、変形しても所定の立体形状に復元できるようにしている。
【０００６】
また、特公昭６２−２９５２１号公報（特許文献４）では、フルカップタイプに用いられる保形用ワイヤーについて、カップ下縁に沿った半円状の身体中心側となる方に内側縁延長部を設け、脇側端には曲率が逆になって若干彎曲してストラップ取付点地点に至るさらに長く延長する外側縁延長部を設けることで、全体として一方より他方を長くした釣針型フック形状としたカップワイヤーを提案している。ここで提案されている保形用ワイヤーは、特にボリュームの大きい乳房、下垂型の乳房などを対象としたフルカップタイプブラジャーのカップ部に用いられるもので、カップ連結端と外側縁延長部分の端部とが力学的に結びつく構成により、ストラップによる吊上げ力がワイヤー全体でバスト荷重を支え、脇側に流れた乳房を身体中心方向に戻すように造形することでバストラインを整えることができると説明している。
【０００７】
上記特許文献４がボリュームが大きい特定のバストカップを対象としているのに対して、特許文献２、３は、ハーフカップ、３／４カップといったフルカップ以外も対象とし、またボリュームについても平均的なバストサイズに適用されるバストカップ部に用いられる保形用ワイヤーを対象としている。そして、立体形状とすることで、従来のフラットな保形用ワイヤーと比べて、胸部全体表面へのフィット性を改善している。しかしながら、多岐にわたる着用者の胸部や乳房構造には即応しがたいため、合致しない着用者に対しては、立体的な凹凸構造が胸部体表面に食い込み、着用感不良で、皮膚に擦り傷を来す等の欠陥があった。このため、前述の特許文献１では、種々の胸部骨格構造にも十分に対応して、着用時には、体表面に対して面的に当接され、食い込みを呈しない保形用ワイヤーとして、バスト下縁に沿って脇側から、外側縁円弧状部分、下側縁円弧状部分、内側縁円弧状部分で形成される略半円部分が平面状で、ワイヤーの内側面が内側下縁より内側上縁に向かって、外方向に立ちあがった傾斜面に形成した保形用ワイヤーを提案している。上縁を外方向に傾斜するように外向きに曲成することで、着用時には、ワイヤーが円弧状部分の拡がり作用に起因して、カップワイヤーの中心側端部が肌側へよじれて体表面に食い込むことを解消できると説明されている。
【０００８】
しかし、特許文献１の構成において、歩行や運動の際に乳房が動いて、脇下側への引張力が保形用ワイヤーに対して作用したりしなかったりすると、保形用ワイヤーの弾性変形に基づく復元力が作用したり作用しなかったりすることになる。その結果、保形用ワイヤーの脇下側の端部やその一部が部分的に肌に食い込むようにあたり、脇下部分が痛くなるなど着用感が損なわれるといった問題があるとして、さらに特許３３１３０２９号公報（特許文献５）では、断面扁平形状の線材を用いて、単にブレスト下部側に位置する中央底部とブレスト身体中心側に位置する身体中心側立部及びブレスト脇下側に位置する脇下側立部とを平面上から離れる方向に彎曲させるだけでなく、脇下側立部には、中央底部の略中心を基準にして４５〜９０°の範囲でその正面が外側をむく方向に捻じれを付与し、かつ装着時には、脇下側立部がその捻じれ形状に基づいて、優先的に弾性変形して拡開するように形成した保形用ワイヤーボーンが提案されている。
このような構成によれば、ボーンの脇下側立部がその略全長にわたって広幅面で身体の脇下にフィットし、これによって歩行や運動等によりブレストが動いてもボーンの脇下側の端部やその一部が部分的に脇下に食い込むようなことがなく、良好な着用感とブレスト保形性が得られるとしている。
【先行技術文献】
【特許文献】
【０００９】
【特許文献１】特公平４−４７０４２号公報
【特許文献２】実公昭５９−５６８３号公報
【特許文献３】実開平６−３９９０９号公報
【特許文献４】特公昭６２−２９５２１号公報
【特許文献５】特許３３１３０２９号公報
【発明の概要】
【発明が解決しようとする課題】
【００１０】
特許文献５の形状により、略全長にわたって身体に対するフィットが改善され、着用時、運動時における、身体中心側端部、脇下側端部でのワイヤーの食い込みが防止され、着用感を向上させることが可能となる。
以上のように、身体表面に沿うように、保形用ワイヤーを立体的に整形することで身体への食い込みが解消されるようになったものの、着用時に保形用ワイヤーが体表面に沿って引っ張られて拡開する結果、カップ下方周縁部のラインがバージスライン（乳房下の輪郭線）と適合せず、バストトップ部において抑えつけられた感じがするという新たな着用感の問題が生じるようになり、また、着用時のバストシルエットに対する改善要求も高い。
【００１１】
本発明は、以上のような事情に鑑みてなされたものであり、その目的とするところは、保形用ワイヤーの着用時の食い込み、さらにはトップバストでの抑えつけや、締め付けによる着用感の低下を解消し、バストシルエットに優れた保形用ワイヤーを提供することにある。
【課題を解決するための手段】
【００１２】
本発明のバストカップ保形用ワイヤーは、ブラジャー等のバストカップ付き被服のバストカップ部保形のために、前記バストカップの身体前中心部から、バスト下部に位置する中央底部を介してバスト脇下に位置する脇側立部まで、アンダーバストの周縁に沿うように形成されている前記バストカップ部の下方周縁部内に組み入れられる、バストカップ保形用ワイヤーであって、
前記バストカップ保形用ワイヤーは、扁平状線材が、前記バストカップ部の下方周縁部に対応する身体前中心部末端から、中央底部を介して、脇側立部末端まで連続する略Ｕ字状乃至略半円形状を形成していて、且つ
脇側立部の端部及び前記中央底部は、前記身体前中心部と当接している平面（身体前中心部含有面）に対して、身体当接側を内方として、外方に凸設するように彎曲していて、
前記脇側立部末端の前記身体前中心部含有面からの突出高さ（ｋ）は、前記身体前中心部含有面からの前記中央底部の凸部高さ（ｈ）よりも大きく、
前記扁平状線材の前記脇側立部の端部は、前記扁平状線材の身体当接面が前記身体前中心の方を向くように捻じれている。
【００１３】
前記中央底部の凸部高さ（ｈ）は１．５〜３．５ｍｍであり、前記脇側立部末端の突出高さ（ｋ）は２．０〜６．０ｍｍであることが好ましく、前記扁平状線材の前記脇側立部端部の捻じれ角度αは、前記身体前中心部含有面と前記扁平状線材の幅方向断面とからなる角度で、２５°〜８０°であることが好ましい。
【００１４】
前記扁平状線材は、前記中央底部の凸部頂点から前記脇側立部末端に至るまでの部分において、前記身体前中心部含有面との接触部分を有するように彎曲していることが好ましく、前記扁平状線材の前記中央底部の凸部頂点から前記脇側立部末端までの垂直方向長さ（Ｌ）は、前記扁平状線材の前記凸部頂点から前記身体前中心部末端までの垂直方向長さ（Ｍ）より長いことが好ましい。
【００１５】
また、前記扁平状線材の前記身体前中心部末端及び前記脇側立部末端は、合成樹脂製材で被覆されていることが好ましい。
【発明の効果】
【００１６】
本発明のバストカップ保形用ワイヤーは、着用時の食い込み、トップバストでの抑え付け、締め付けによる着用感の低下がなく、しかも優れたバストシルエットを提供することができる。
【図面の簡単な説明】
【００１７】
【図１】保形用ワイヤーの適用例を説明するための図である。
【図２】立体形状の保形用ワイヤーの一般的構造を説明するための図である。
【図３】本発明の保形用ワイヤーの一実施形態の構成を示す斜視図であり、当該保形用ワイヤーは平面上に載置した状態で描かれている。
【図４】図３の保形用ワイヤーをＡ方向からみた平面図である。
【図５】図３の保形用ワイヤーをＢ方向からみた側面図である。
【図６】図３の保形用ワイヤーを上方からみた上面図である。
【図７】保形用ワイヤーのＸ-Ｘ線断面図である。
【図８】保形用ワイヤーのＹ−Ｙ線断面図である。
【図９】中央底部の凸部頂点部分を含む面を基準面Ｐとした場合の保形用ワイヤーの彎曲状態を示す図である。
【図１０】実施例で作製したＮｏ．４，５の保形用ワイヤーについて、中央底部の凸部頂点部分を含む面を基準面Ｐとした場合の突出方向の関係を説明するための図である。
【図１１】実施例で行った試験３を説明するための図である。
【発明を実施するための形態】
【００１８】
本発明を実施する実施形態について、図面に基づいて説明する。
図３は、本発明の一実施形態の保形用ワイヤー１の構成を示す斜視図であり、当該ワイヤー１を平面１０上に載置した状態で描かれている。図４は、図３に示す保形用ワイヤー１をＡ方向からみた平面図、図５は保形用ワイヤー１をＢ方向からみた側面図、図６は保形用ワイヤー１を上方向からみた上面図である。図７は、保形用ワイヤー１のＸ-Ｘ線断面図、図８は、保形用ワイヤー１のＹ−Ｙ線断面図である。
【００１９】
保形用ワイヤー１は、断面長方形の扁平状線材を、図４〜図８に示すように、身体前中心部の末端２からバスト下方周縁に沿ってカップ底部となる中央底部を介して、脇側立部の末端４まで略半円乃至Ｕ字状に整形されているとともに、中央底部及び脇側立部端部が載置面１０から凸設するように、３次元に彎曲させたものである。このような保形用ワイヤー１の各領域を、以下、載置面１０から凸設している部分を中央底部ａ、中央底部ａの身体前中心側端から身体前中心部の末端２までの部分を身体前中心部ｂ、中央底部ａの脇側端から脇側立部の末端４までの部分を脇側立部ｃと呼称する。
【００２０】
身体前中心部ｂは、載置面である平面１０に合致し、当接している。以下、この平面１０を、中心部含有面と称する場合がある。扁平状線材の前中心部含有面１０と接する方の面が身体側となる。従って、中央底部ａの凸部は、扁平状線材の身体前中心部含有面１０と当接する方の面を内方として、外方に凸設していて、前中心部含有面１０から凸部頂点３まので距離が、凸部高さｈとなる。同様に、脇側立部ｃの末端４は、前中心部含有面１０から外方に凸設していて、前中心部含有面１０から脇側立部ｃの末端４までの距離が突出高さｋとなる。
ここで、脇側立部ｃの末端４における突出高さｋは、中央底部ａの凸部高さｈよりも大きい。
【００２１】
さらにまた、扁平状線材は、前記中央底部ａから前記脇側立部の末端４に至るまでの部分において、前記前中心部含有面１０との接触部分を有するように彎曲している。
従って、本実施形態の保形用ワイヤー１は、図９に示すように、中央底部ａの凸部頂点３を含む面を基準面Ｐとした場合、身体前中心部ｂは、基準面Ｐに対して、身体側となる方に突出することになり、脇側立部ｃは、基準面Ｐに対して、身体とは反対側の方に突出することになる。
【００２２】
さらに、脇側立部ｃは、脇側立部端部において、略半円の中心点方向を向くように捻じれている。脇側立部ｃの端部の捻じれは、図８に示すように、扁平状線材の身体に当接する方の面が身体前中心側に向けて、角度αだけ捻じれている。
【００２３】
保形用ワイヤー１において、中央底部ａの凸部頂点３から脇側立部末端４までの長さ（Ｌ）は、前記凸部頂点３から身体前中心部末端２までの長さ（Ｍ）より長い。ここでいう長さＬ、Ｍは、図５に示されるように、凸部頂点３に対応するＵ字状の最底部から、脇側立部末端４又は身体前中心部末端２までの垂直方向高さをいう。
【００２４】
中央底部ａの凸部頂点３の前中心部含有面１０からの高さｈ、脇側立部ｃの末端４の前中心部含有面１０からの突出高さ、捻じれ角度αは、バストサイズ、ボリュームにより適宜選択されるが、通常、高さｈは１．５〜３．５ｍｍであることが好ましく、より好ましくは１．７〜２．３ｍｍである。脇下部末端４の突出高さｋは、中央底部ａの凸部高さｈの大きさにもよるが、通常、２．０〜６．０ｍｍであることが好ましく、より好ましくは２．５〜５．５ｍｍであり、当該範囲において、前記高さｈよりも大きくなるように設定される。また、捻じれ角度αは、２５°〜８０°であることが好ましく、より好ましくは３０°〜７５°、さらに好ましくは４０°〜７０°である。
【００２５】
中央底部の凸部頂点３の高さｈが３．５ｍｍを超えると、着用した状態においても、保形用ワイヤー１が浮いた状態となり、アンダーバストを持ち上げるという保形用ワイヤーの本来の機能を果たせない。一方、凸部高さｈが１．５ｍｍ未満では、着用した状態においてカップ部に引張力が作用し、Ｕ字の形態が拡開する際に、保形用ワイヤーの縁部がアンダーバストに食い込むようになる。
【００２６】
したがって、脇側立部ｃの端部の突出高さｋが凸部高さｈと比べて大きくなりすぎると、着用前のバストカップ部において、脇側立部ｃの端部の突出が目立つようになって、ブラジャー単独でのカップ形状美観が損なわれ、商品価値の低下を招くおそれがあり、ひどい場合には、着用時であっても身体面から外方へ突出する恐れがある。一方、突出高さｋが凸部高さｈと同等以下では、脇側立部ｃの端部が基準面Ｐに一致し、さらには身体方向に突出するようになるため、着用時の反発弾性が十分作用せず、期待するような乳房を中心側へ寄せる保形、造形効果が得られにくくなる。
【００２７】
脇側立部端部は、身体前側から脇側へむけて、扁平状線材の身体当接する方の面を身体表面に沿わせることができるように捩じられる。脇側立部ｃにおいて、徐々に捩じられていくことが好ましく、かかる意味において、８０°以下、好ましくは７０°以下である。一方、２５°未満の捻じれでは、着用時に脇側立部ｃの身体当接側の面全体を脇下に当接できず、脇下での食い込みの原因となりやすい。
【００２８】
図６に示す保形用ワイヤー１の略Ｕ字状の開口部分長さに相当する距離Ｄは、バストサイズ、ボリュームにより適宜選択される。また、図５に示す前記中央底部ａの凸部頂点３から前記脇側立部末端４までの垂直方向長さ（Ｌ）は、前記保形用ワイヤー１の前記凸部頂点３から前記身体前中心部末端２までの垂直方向長さ（Ｍ）より長く設定することで、着用時に脇下における反発弾性の作用が得られやすくなり、バストシルエットを向上させることができる。
【００２９】
以上のような構成を有する保形用ワイヤー１は、例えば、図１に示すように、バストカップ付き被服の代表例であるブラジャーのバストカップ部２０の下縁部に装入される。身体前中心部末端２がブラジャーの前中心部となるように装入される。
【００３０】
上記本実施形態の保形用ワイヤー１を装入したブラジャーを着用すると、中央底部ａがアンダーバスト周縁部に沿うように当接し、体表面の丸みに沿うように、脇側立部ｃが脇下位置となるように引っ張られる。
脇側立部ｃの端部は、図９に示すように、中心底部ａの凸部頂点３を含む基準面Ｐよりも身体外方へ向けて突出するように彎曲していることから、着用時に身体側に引っ張られた結果、反発弾性が作用することになる。このことは、着用時にバストカップ脇側立部ｃが胸部フロントから背中へむけて引っ張られる際に、保形用ワイヤー１が、この引張作用を抑制する役目を果たす。これにより、バストカップ部２０の下方周縁部が、着用者のバージスラインと一致するように作用するだけでなく、着用時にバストトップが背中側へ引っ張られてバストトップが低くなることを防止するとともに、乳房が身体中心から脇方へ流れることを防止し、いわゆる身体中心側へ引き寄せる役目を果たすこともできる。
このような保形用ワイヤー１の作用により、乳房を身体中心側へ引き寄せることが可能となり、バストトップをほぼ最高さの状態に持ってくることを可能にする。従って、バストトップが抑えつけられるという着用感の低下を防止するばかりか、ワイヤーによる着用時のバスト保形、造形を所望の状態とすることができる。
【００３１】
以上のような構成を有する保形用ワイヤーにおいて、身体前中心部末端２、脇側立部末端４は、合成樹脂製キャップにより被覆されていることが好ましい。合成樹脂製キャップは、金属製の保形用ワイヤー末端が身体に当接した際の不快感を緩和することができる。
【００３２】
なお、本発明の保形用ワイヤーを構成する扁平状線材の材料は、保形に必要な強度、弾性を有する材料であればよく、金属製、樹脂製線材などを用いることができる。
【００３３】
以上のような本発明の保形用ワイヤーを装入できるバストカップの種類は、特に限定せず、ハーフカップ、３／４カップ、フルカップであっても適用できる。フルカップの場合であっても、バスト下方周縁のみを保持する保形用ワイヤーとして適用できる。
【００３４】
また、本発明の保形用ワイヤーはブラジャーのバストカップ部に限定されず、ブラジャーとウエストニッパーが一体となっているボディシェーバー、ブラジャーとウエストニッパーとガードルとが一体となっているボディスーツ、ブラジャーとスリップが一体となっているブラスリップ等のバストカップ付きファンデーション、バストカップ部を有する水着を含むバストカップ部付き被服全般に用いられるバストカップ部の保形用ワイヤー全般に適用できる。
【実施例】
【００３５】
以下、本発明を具体的な実施例により説明する。なお、下記実施例は、本発明の範囲を限定するものではない。
【００３６】
〔保形用ワイヤーＮｏ．１〜５の作製及び評価〕
幅３ｍｍ、厚み１ｍｍの断面長方形の金属製扁平状線材を用いて、図２に示すように、載置面となる平面３０からの中央底部の浮き高さ（凸部頂点高さ）ｈ、脇側立部の浮き高さ（突出高さ）ｋ、前中心部の浮き高さｊが表１に示す高さとなるように、略Ｕ字状に整形するとともに、さらに脇側立部において、扁平状線材の身体と当接する方の面を身体前中心部側に向けて、表１に示す角度αで捩じった保形用ワイヤーＮｏ．２〜５を作製した。市販のブラジャー（ワコール製リボンブラ３／４カップＢＲＢ４２３  Ｃ７０）のバストカップ部に装着されている保形ワイヤーを抜き出し、代わりに上記で作製した保形用ワイヤーを装入し、以下に示す試験１，２，３を行い、評価した。
【００３７】
市販のブラジャーにすでに装入されていた保形用ワイヤーをＮｏ．１として、同様に試験１，２，３を行い、評価した。Ｎｏ．１は、金属製扁平状線材がフラットな状態（ｈ＝ｋ＝ｊ＝０ｍｍ）で、略Ｕ字状に整形されたものである。
【００３８】
なお、保形用ワイヤーＮｏ．４、５について、中央底部の凸部頂点を含む面を基準面Ｐとした場合に、前中心部末端及び脇側立部末端の突出方向と基準面Ｐとの関係は、図１０に示すようになる。すなわち、Ｎｏ．４は、本発明の保形用ワイヤーの実施例に相当し、前中心部端部は身体側に突出した状態となるが、脇側立部端部は、身体から離れる方向(身体外方）に突出した状態となる。これに対して、Ｎｏ．５は、基準面Ｐに対して、前中心部端部及び脇側立部端部のいずれも身体側に突出した状態となる。
【００３９】
〔試験１〕
保形用ワイヤーＮｏ．１〜４を装入した各ブラジャーについて、下記評価項目について、良好、普通、良くないの３段階（○、△、×で示す）で評価し、さらに○を３点、△を２点、×を１点とした各被着用者の合計点の平均を評価点として算出した。評価結果を表１に示す。
（１）装着性
２０代及び３０代の女性試着者が、ブラジャーを実際に装着し、アンダーバスト近傍部（中央底部）、前中心部、脇側立部のそれぞれの位置における体幹との関係について、身体からの浮きや身体への食い込みが無い場合を良好（○）とし、不快と感じる程の食い込みや浮きがない場合を普通（△）とし、食い込みにより不快を感じる場合を不良（×）として評価した。
（２）着用感
保形用ワイヤーの浮き、食い込みとは別に、着用した場合のバスト全体における着け心地を、良好（○）、普通（△）、良くない（×）の３段階で評価した。
（３）バストカップ形状
下記３項目について、良好（○）、普通（△）、良くない（×）の３段階で評価した。
（３−１）ブラジャー単体におけるカップの形状
（３−２）着用した場合のバージスライン（乳房下の輪郭線）と保形用ワイヤー形状のマッチング
（３−３）着用時の全体的な美観。
【００４０】
【表１】
0005479620.tif 000002
【００４１】
表１からわかるように、フラットな保形用ワイヤー（Ｎｏ．１）に対して、中央底部、脇側立部端部が前中心部含有面３０より浮くような立体形状を有する保形用ワイヤー（Ｎｏ．２，３，４）の方が、装着性、着け心地、バストシルエットのいずれも優れていた。
そして、Ｎｏ．２，３，４の比較から、脇側立部端部の突出高さｋが中央底部の浮き高さｈよりも大きい方（Ｎｏ．２，４）が装着性、着け心地が優れている傾向にあった。
【００４２】
〔試験２〕
保形用ワイヤーＮｏ．４，５を装入した各ブラジャーについて、試験１と同様に評価した。尚、実際の試着は、２０代の女性２名及び３０代の女性３名の合計５名が行った。
【００４３】
さらに、上記で作製したブラジャーを着用した状態で、バストトップの高さ、左右それぞれのバストトップの地上からの位置高さ、左右のバストトップ間の間隔及びカップ部の脇位置を測定した。また、アンダーバスト部分での陥没の有無、カップ部の脇部分での陥没の有無について目視で評価した。尚、バストトップの高さ及びカップ部の脇位置については、Ｎｏ．１の位置を基準０としたときの相対ずれ位置として計測した。身体前方へずれている場合を「＋」、背中側へずれている場合を「−」で表わした。測定結果を表２に示す。
【００４４】
【表２】
0005479620.tif 000003
【００４５】
表２から、Ｎｏ．５では、ブラジャー単独のカップ形状が良好であるにもかかわらず、着用状態では、バージスラインとのマッチングがよくなかった。これは、引張力が作用する着用状態では、Ｎｏ．５の反発弾性が不十分なため、カップが本来のバスト位置からずれたためと考えられる。カップが脇方又は前中心側にずれた結果、保形用ワイヤーとして、バストを身体前中心部によせるという役目が不十分となり、結果として、トップバストがＮｏ．４よりも低くなり、着け心地としても、バストトップが抑えつけられた感じがするというものであった。
一方、Ｎｏ．４では、脇側立部の端部が身体外方に向けて浮いていることから、着用時の背中側への引張力に対して、効果的に反発弾性が作用できたため、バージスラインとマッチングし、乳房を身体前中心に寄せるという保形用ワイヤー本来の役目を果たせたと考えられる。
【００４６】
〔試験３〕
図１１に示すように、トルソー（株式会社七彩製  裁断用ナチュラルヌードボディ  ＭＴ−２０、アンダーバスト７１．０ｃｍ、バスト８２．０ｃｍ、乳頭間隔１７．５ｃｍ、背肩幅３８．５ｃｍ）のバストカップ部の脇側立部が当接する予定位置に、圧力センサパック（Ｔ型、長さ２８ｍｍ×幅８ｍｍ）３１を取付固定した。かかる状態で、上記で作製したブラジャーＮｏ．４、５を着用させ、着用時の圧力を、株式会社エイエムアイテクノ製の衣服圧測定器（ＡＭＩ３０３７−２）を用いて測定した。また、市販のブラジャー（Ｎｏ．１の保形用ワイヤーを装入）を着用したときの脇側立部の位置に対して、上記で作製したブラジャーＮｏ．４、５の該当脇側部の位置の水平方向及び垂直方向の位置ずれを計測した。測定結果を表３に示す。尚、位置ずれは、Ｎｏ．１の位置を基準として、水平方向に前中心側にずれた場合をプラス、背中側にずれた場合をマイナスとし、垂直方向に頭側にずれた場合をプラス、床側にずれた場合をマイナスで表わした。
【００４７】
【表３】
0005479620.tif 000004
【００４８】
Ｎｏ．４，５は、いずれも垂直方向のずれ位置が＋であることから、立体形状の保形用ワイヤーは、フラットな保形用ワイヤー（Ｎｏ．１）に比べて、バージスラインのマッチングが優れていることがわかる。しかしながら、Ｎｏ．５では、水平方向について、脇位置が背中側にずれていたことから、乳房を身体前中心に寄せる力が、Ｎｏ．４よりも弱い反面、着圧が高くなっていることから、着用時における脇での締め付け圧力がきつく感じられる。
【産業上の利用可能性】
【００４９】
本発明の保形用ワイヤーは、バージスラインに沿って、しかもバストを身体前中心側に寄せることができるので、優れた着用感を保持しつつ、バストのシルエットを美しく見せたいブラジャー等のバストカップ付き被服の保形用ワイヤーとして有用である。
【符号の説明】
【００５０】
１  バストカップ保形用ワイヤー
２  身体前中心部末端
３  中央底部凸部頂点
４  脇側立部末端
１０  前中心部含有面（載置面）
１１  バストカップ部
ａ  中央底部
ｂ  身体前中心部
ｃ  脇側立部
Ｐ  基準面
【要約】
【課題】  保形用ワイヤーの着用時の食い込み、さらにはトップバストでの抑えつけや、締め付けによる着用感の低下を解消し、バストシルエットに優れた保形用ワイヤーを提供する。
【解決手段】  扁平状線材が、前記バストカップ部の下方周縁部に対応する身体前中心部末端から、中央底部を介して、脇側立部末端まで連続する略Ｕ字状乃至略半円形状を形成していて、且つ脇側立部の端部及び前記中央底部は、身体前中心部含有面に対して、身体当接側を内方として、外方に凸設するように彎曲していて、前記脇側立部末端の前記身体前中心部含有面からの突出高さ（ｋ）は、前記身体前中心部含有面からの前記中央底部の凸部高さ（ｈ）よりも大きく、前記扁平状線材の前記脇側立部の端部は、前記扁平状線材の身体当接面が前記身体前中心の方を向くように捻じれている。
【選択図】  図３【図１】
0005479620.tif 000005
【図２】
0005479620.tif 000006
【図３】
0005479620.tif 000007
【図４】
0005479620.tif 000008
【図５】
0005479620.tif 000009
【図６】
0005479620.tif 000010
【図７】
0005479620.tif 000011
【図８】
0005479620.tif 000012
【図９】
0005479620.tif 000013
【図１０】
0005479620.tif 000014
【図１１】
0005479620.tif 000015